(57)【要約】【課題】  フレームの高さを自由に調整できる卓脚の組合せ構造を提供する。【解決手段】  フレーム２の一端には調整片２１が固定して設けられ、調整片２１の上下には貫通孔２２が開けられている。卓脚１の周面には少なくとも一つ以上の滑り溝１１が設けられ、滑り溝１１の内部の両側に少なくとも一つの溝１２が設けられていることにより、調整片２１が滑り溝１１内の溝１２で調整自在になり、フレーム２を自由に調整して固定可能である。滑り溝１１内側の外縁に近接する箇所にもう一つの溝１３が設けられていることにより、カバー３を溝１３と係止して固定可能である。【選択図】    図１
0003103960.tif 000002
【実用新案登録請求の範囲】
【請求項１】
卓脚とフレームとを備える卓脚の組合せ構造において、
前記フレームの一端には調整片が固定して設けられ、前記調整片の上下には貫通孔が開けられ、前記卓脚の周面には少なくとも一つ以上の滑り溝が設けられ、前記滑り溝の内部の両側には少なくとも一つの溝が設けられ、フレームにある調整片が前記滑り溝内の溝で調整自在であり、フレームは自由に調整して固定可能であり、前記滑り溝内側の外縁に近接する箇所にもう一つの溝が設けられ、カバーはその溝と係止して固定可能であることを特徴とする卓脚の組合せ構造。
【請求項２】
前記卓脚は、円形管体または矩形管体であることを特徴とする請求項１に記載の卓脚の組合せ構造。
【請求項３】
前記卓脚の上端と底部には、キャップが設けられていることを特徴とする請求項１に記載の卓脚の組合せ構造。
【考案の詳細な説明】
【技術分野】
【０００１】
本考案は、家具の卓脚に適用でき、使用者がフレームの高さを自由に調整できる卓脚の組合せ構造に関するものである。
【背景技術】
【０００２】
従来の物置棚やテーブルなどに使用される卓脚の組合せ構造は、卓脚とフレームとの組合せ方法が溶接による固定であり、又は、ねじによってフレームを卓脚に螺着する。このような組合せ方法によれば、フレームの高さを調整しようとする場合には、溶接法で固定すれば、その高さをもう一度調整できず、なお、螺着法で固定すれば、別に卓脚に穴を開けることが必要であるので、加工コストが上昇し、且つねじが卓脚面から露出するので、全体の外観に悪影響を与える。
本考案に係る卓脚の組合せ構造によれば、使用者がフレームの高さを自由に調整でき、加工コストを低減でき、且つ家具の全体の外観が綺麗になる。
【考案の開示】
【考案が解決しようとする課題】
【０００３】
本考案の主な目的は、家具の卓脚に適用でき、使用者がフレームの高さを自由に調整できる卓脚の組合せ構造を提供する。
【課題を解決するための手段】
【０００４】
上記目的を達成するためになされた本考案は、卓脚と、フレームとから構成される卓脚の組合せ構造において、前記フレームの一端には調整片が固定して設けられ、前記調整片の上下には貫通孔が開けられ、前記卓脚の周面には少なくとも一つ以上の滑り溝が設けられ、前記滑り溝の内部の両側には少なくとも一つの溝が設けられていることにより、フレームにある調整片が前記滑り溝内の溝で調整自在になり、フレームは自由に調整して固定可能であり、また、前記滑り溝内側の外縁に近接する箇所にもう一つの溝が設けられていることにより、カバーがその溝と係止して固定可能であることを特徴とする卓脚の組合せ構造であることを要旨としている。
【０００５】
本考案では、前記卓脚は、円形管体でもいいし、矩形管体でもいいことを特徴とする請求項１に記載の卓脚の組合せ構造であることを要旨としている。
本考案では、前記卓脚の上端と底部にはキャップが設けられていることを特徴とする請求項１に記載の卓脚の組合せ構造であることを要旨としている。
【考案を実施するための最良の形態】
【０００６】
以下、添付図面を参照して本考案の好適な実施の形態を詳細に説明する。
図１は本考案の一実施例による卓脚の組合せ構造の分解斜視図であり、図２は本考案の一実施例による卓脚の組合せ構造を組合せた状態を示す斜視図である。
【０００７】
卓脚１と、フレーム２とから構成されている卓脚の組合せ構造において、前記フレーム２の一端には調整片２１が固定して設けられ、前記調整片２１の上下には貫通孔２２が開けられ、前記卓脚１の周面には少なくとも一つ以上の滑り溝１１が設けられ（図１−Ａ参照）、前記滑り溝１１の内部の両側には少なくとも一つの溝１２（図１−Ａ参照）が設けられている（図１−Ａ参照）ことにより、フレーム２にある調整片２１が前記滑り溝１１内の溝１２で調整自在になり、フレーム２を自由に調整して固定し、且つねじ５により調整片２１を溝１２に固定することができる。また、前記滑り溝１１内側の外縁に近接する箇所にはもう一つの溝１３（図１−Ａ参照）が設けられていることにより、カバー３をその溝１３と係止して固定することができる。最後に、前記卓脚１の上端と底部とには別々にキャップ４が設けられている。上記のような構成によれば、滑り溝１１内の溝１２により、フレームの高さが自由に調整できるようになり（図２と図２−Ａ参照）、また、前記カバー３により、フレームにある調整片及びねじがカバーされ、全体の外観が綺麗になる。
【０００８】
次に、図３を参照する。図３は本考案の他の実施例の分解斜視図である。
本実施例のように卓脚１は、周面に二つの滑り溝１１が設けられてもよく、なお、前記滑り溝１１の内部の両側には一つの溝１２が設けられていることにより、フレーム２にある調整片２１が上下に調整自在になり、前記フレーム２を調整した後、複数のカバー３（図３−Ａ参照）を卓脚１にある溝１３に係合して固定すると、フレームの高さを自由に調整できるようになる。
【０００９】
次に、図４と図５を参照する。図４は本考案の他の実施例の全体の斜視図であり、図５は本考案の他の実施例の全体の斜視図である。
本考案に係る卓脚は、図４に示すような日常生活の物置棚と、図５に示すような物置棚とに適用でき、そのフレームの高さは必要に応じて自由に調整でき、従来のものと全く異なる。
【００１０】
次に、図６と図７を参照する。図６は本考案の他の実施例の分解斜視図であり、図７は本考案の他の実施例の応用例を示す斜視図である。
本実施例のように卓脚１は、矩形管体でもよく、その周面に一つの滑り溝１１が設けられている（図６−Ａ参照）。前記滑り溝１１の内部の両側には一つの溝１２が設けられている（図６−Ａ参照）ことにより、フレーム２にある調整片２１が上下に調整自在になる。また、前記滑り溝１１の開口に近接する箇所には溝１３が設けられ（図６−Ａ参照）、前記フレーム２を調整した後、複数のカバー３（図７−Ａ参照）を卓脚１にある溝１３に係合して固定すると、フレームの高さを自由に調整できるようになる。また、前記カバー３により、フレームにある調整片及びねじがカバーされ、全体の外観が綺麗になる。
【図面の簡単な説明】
【００１１】
【図１】本考案の一実施例による卓脚の組合せ構造を示す分解斜視図である。
【図１−Ａ】本考案の一実施例による卓脚の組合せ構造の卓脚を示す斜視図である。
【図１−Ｂ】本考案の一実施例による卓脚の組合せ構造のカバーを示す斜視図である。
【図２】本考案の一実施例による卓脚の組合せ構造を示す斜視図である。
【図２−Ａ】図２の要部の断面図である。
【図３】本考案の他の実施例による卓脚の組合せ構造を示す分解斜視図である。
【図３−Ａ】本考案の他の実施例による卓脚の組合せ構造の要部を示す断面図である。
【図３−Ｂ】本考案の他の実施例による卓脚の組合せ構造を示す斜視図である。
【図４】本考案の他の実施例による卓脚の組合せ構造を示す斜視図である。
【図５】本考案の他の実施例による卓脚の組合せ構造を示す斜視図である。
【図６】本考案の他の実施例による卓脚の組合せ構造を示す分解斜視図である。
【図６−Ａ】本考案の他の実施例による卓脚の組合せ構造の卓脚を示す斜視図である。
【図６−Ｂ】本考案の他の実施例による卓脚の組合せ構造のカバーを示す斜視図である。
【図７】本考案の他の実施例による卓脚の組合せ構造を示す斜視図である。
【図７−Ａ】図７の要部の断面図である。
【符号の説明】
【００１２】
１  卓脚、２  フレーム、３  カバー、４  キャップ、５  ねじ、６  卓面、１１  滑り溝、１２  溝、１３  溝、２１  調整片、２２  貫通孔
【図１】
0003103960.tif 000003
【図１−Ａ】
0003103960.tif 000004
【図１−Ｂ】
0003103960.tif 000005
【図２】
0003103960.tif 000006
【図２−Ａ】
0003103960.tif 000007
【図３】
0003103960.tif 000008
【図３−Ａ】
0003103960.tif 000009
【図３−Ｂ】
0003103960.tif 000010
【図４】
0003103960.tif 000011
【図５】
0003103960.tif 000012
【図６】
0003103960.tif 000013
【図６−Ａ】
0003103960.tif 000014
【図６−Ｂ】
0003103960.tif 000015
【図７】
0003103960.tif 000016
【図７−Ａ】
0003103960.tif 000017